(57)【特許請求の範囲】
【請求項１】
洗面ボウル内面に開口したオーバーフロー口に連通する取水口部と、
上記洗面ボウル底部に開口した排水口に連通する排水口部と、
上記取水口部と上記排水口部とを連通する導水管部とを備えるオーバーフロー装置であって、
上記導水管部は、
上端が上記取水口部に接続され、鉛直方向に垂下する縦管部と、
一端が該縦管部の下端に接続され、屈曲部を有するコーナー管部と、
一端が該コーナー管部の他端に接続されるとともに、水平方向に延在し、他端が上記排水口部に接続される横管部と、
を備え、
上記コーナー管部と上記横管部との接続部近傍に、該横管部に滞留した空気が上記コーナー管部へと流出することを阻止する垂れ壁を設けたことを特徴とするオーバーフロー装置。
【請求項２】
前記コーナー管部の鉛直方向部分及び前記縦管部の合計長さは短く、且つ前記コーナー管部の水平方向部分及び前記横管部の合計長さは長いことを特徴とする請求項１記載のオーバーフロー装置。
【請求項３】
前記横管部及び前記コーナー管部はジョイント部材により接続され、前記垂れ壁は、該ジョイント部材に設けられたことを特徴とする請求項１及び２のいずれかに記載のオーバーフロー装置。
【請求項４】
前記垂れ壁が設けられた前記横管部及び前記ジョイント部材のいずれかは、上記垂れ壁が設けられた位置が外部から認識できるように、外面に表示部を備えることを特徴とする請求項３記載のオーバーフロー装置。
【請求項５】
前記コーナー管部の鉛直方向部分及び前記縦管部の合計長さは７〜１９ｃｍであり、前記コーナー管部の水平方向部分及び前記横管部の合計長さは２０〜４０ｃｍであることを特徴とする請求項２記載のオーバーフロー装置。
【請求項６】
前記垂れ壁は、前記コーナー管部の近傍に配置されていることを特徴とする請求項１〜５のいずれかに記載のオーバーフロー装置。
【請求項７】
洗面ボウル内面に開口したオーバーフロー口と、
洗面ボウル底部に開口した排水口と、
上記オーバーフロー口と上記排水口とを連通する請求項１〜６のいずれかに記載のオーバーフロー装置と、
を備えることを特徴とする洗面器装置。
【発明の詳細な説明】
【技術分野】
【０００１】
本発明は、洗面ボウルから排水が溢れ出すことを防止するオーバーフロー装置に関する。また、本発明は、斯かるオーバーフロー装置を備える洗面器装置に関する。
【背景技術】
【０００２】
洗面器装置等には、洗面ボウルの満水時に更に給水が行われた場合に、洗面ボウルから水が溢れ出すことを防止するために、オーバーフロー装置が取設される。
【０００３】
このオーバーフロー装置は、洗面ボウル側面に開口したオーバーフロー口に連通する取水口部と、洗面ボウル底部に開口した排水口に連通する排水口部と、取水口部と排水口部とを連通する導水管部とを備える。
【０００４】
ところが、洗面ボウルの排水口を閉塞した状態で洗面ボウルに水を溜め、その後排水口を開放すると、大量の水が一気に排水口部に流れ込むため、オーバーフロー口から入ってくる導水管内部の空気を一緒に引き込みゴボゴボという異音が断続的に発生し、排水音が大きくなってしまうという問題があった。 
この問題を解決するために、底部に排水口を有し、側部にオーバーフロー孔を有する水槽と、前記排水口を開閉自在とする排水栓と、前記排水口に接続される排水管と、該排水管と前記オーバーフロー孔とを連結し、オーバーフロー孔から溢れてくる水を排水管に流し込む導水管とを備えてなる水槽のオーバーフロー流路の構造において、前記導水管の排水管との接続部近傍の上半部に、導水管から排水管への空気の引き込みを阻止する防壁を設けた水槽のオーバーフロー流路の構造が知られている（例えば、特許文献１参照。）。
【０００５】
【特許文献１】特開平１１−２１９６９号公報
【発明の開示】
【発明が解決しようとする課題】
【０００６】
他方、排水の一部が一時的に導水管を逆流すると、その水が、オーバーフロー口から洗面ボウル内に溢れ出すことがある。この傾向は、排水口部に接続する略水平方向部分が長く、取水口部に接続する略鉛直方向部分が短い形状のオーバーフロー装置において顕著である。
【０００７】
これは、排水栓が開放されて排水口から勢いよく排水された水が、導水管内に滞留していた空気を追い越して先にオーバーフロー口近傍まで達したところ、追い越された空気が後から、オーバーフロー口近傍の水を押し出すように、オーバーフロー口側に抜けようとするために起こるものと推定される。
【０００８】
本発明は、上述した事情を考慮してなされたもので、追い越された空気がオーバーフロー口に向かって抜けることを抑制することにより、オーバーフロー口からの逆流を阻止したオーバーフロー装置及び斯かるオーバーフロー装置を備える洗面器装置を提供することを目的とするものである。
【課題を解決するための手段】
【０００９】
本発明に係るオーバーフロー装置は、上述した課題を解決するために、洗面ボウル内面に開口したオーバーフロー口に連通する取水口部と、上記洗面ボウル底部に開口した排水口に連通する排水口部と、上記取水口部と上記排水口部とを連通する導水管部とを備えるオーバーフロー装置であって、上記導水管部は、上端が上記取水口部に接続され、鉛直方向に垂下する縦管部と、一端が該縦管部の下端に接続され、屈曲部を有するコーナー管部と、一端が該コーナー管部の他端に接続されるとともに、水平方向に延在し、他端が上記排水口部に接続される横管部とを備え、上記コーナー管部と上記横管部との接続部近傍に、該横管部に滞留した空気が上記コーナー管部へと流出することを阻止する垂れ壁を設けたものである。
【００１０】
そして、好適には、前記コーナー管部の略鉛直方向部分及び前記縦管部の合計長さは短く、且つ前記コーナー管部の略水平方向部分及び前記横管部の合計長さは長くすることが望ましい。
【００１１】
また、好適には、前記横管部及び前記コーナー管部はジョイント部材により接続され、前記垂れ壁は、該ジョイント部材に設けられるようにすることもできる。
【００１２】
さらに、好適には、前記垂れ壁が設けられた前記横管部及び前記ジョイント部材のいずれかは、上記垂れ壁が設けられた位置が外部から認識できるように、外面に表示部を備えてもよい。
【００１３】
またさらに、好適には、前記コーナー管部の鉛直方向部分及び前記縦管部の合計長さは略７〜１９ｃｍであり、前記コーナー管部の水平方向部分及び前記横管部の合計長さは略２０〜４０ｃｍであることが望ましい。
【００１４】
さらにまた、前記垂れ壁は、好適には、前記コーナー管部の近傍に配置されていることが望ましい。
【００１５】
他方、上述した課題を解決するために、本発明に係る洗面器装置は、洗面ボウル内面に開口したオーバーフロー口と、洗面ボウル底部に開口した排水口と、上記オーバーフロー口と上記排水口とを連通する上記のいずれかに記載のオーバーフロー装置と、を備えるものである。
【発明の効果】
【００１６】
本発明に係るオーバーフロー装置及び斯かるオーバーフロー装置を備える洗面器装置によれば、追い越された空気がオーバーフロー口に向かって抜けることを抑制することにより、オーバーフロー口からの逆流を阻止することができる。
【発明を実施するための最良の形態】
【００１７】
本発明に係るオーバーフロー装置及び斯かるオーバーフロー装置を備える洗面器装置の実施の形態について、添付図面を参照して説明する。図１は、本発明に係る洗面器装置１の一実施形態を示す図で、（ａ）は底面図、（ｂ）は右側面図、（ｃ）は（ｂ）におけるＡ−Ａ断面図である。また、図２は、本実施形態に係るオーバーフロー装置１０の詳細図である。
【００１８】
本実施形態に係る洗面器装置１は、洗面ボウル２と、洗面ボウル２の底部に設けられた排水口３と洗面ボウル２の側面上縁寄りに開口したオーバーフロー口４とを連通するオーバーフロー装置１０とから構成される。
【００１９】
オーバーフロー装置１０は、洗面ボウル２のオーバーフロー口４に水密に接続される取水口部１１と、上記洗面ボウル底部に開口した排水口３に連通する排水口部１３と、取水口部１１と排水口部１３とを連通する導水管部１２とを備える。
【００２０】
そして、導水管部１２は、上端が取水口部１１に接続され、略鉛直方向に垂下する縦管部１４と、一端がこの縦管部１４の下端に接続され、略Ｌ字状に屈曲したコーナー管部１５と、一端がコーナー管部１５の他端に接続されるとともに、略水平方向に延在し、他端が排水口部１３に接続される横管部１６とからなる。また、コーナー管部１５と横管部１６とは、ジョイント部材１７で連接されている。
【００２１】
コーナー管部１５の略鉛直方向部分及び縦管部１４の合計長さは短く、且つコーナー管部１５の略水平方向部分及び横管部１６の合計長さは長く形成される。好適には、コーナー管部１５の略鉛直方向部分及び縦管部１４の合計長さは略７〜１９ｃｍであり、コーナー管部１５の略水平方向部分及び横管部１６の合計長さは略２０〜４０ｃｍであることが望ましい。本実施の形態では、コーナー管部１５の略鉛直方向部分及び縦管部１４の合計長さは１２ｃｍに、コーナー管部１５の略水平方向部分及び横管部１６の合計長さは３０ｃｍに形成された例を示している。
【００２２】
取水口部１１は、図３に示すように、洗面ボウル２のオーバーフロー口４と連通する開口ＯＰと、この開口ＯＰ周りに取着され、オーバーフロー口４と取水口部１１との間の水密性を確保するリング状のパッキン１１ａと、取水口部１１を洗面ボウル２にねじ止めするためのビス孔１１ｂとを備える。
【００２３】
この開口ＯＰの大きさは、従来のオーバーフロー装置のものと同じ大きさであり、取水口部１１は洗面ボウル２の取付面と平行となるように水平方向に長く形成されている。したがって、この取水口部１１は従来の洗面ボウルに取付可能であり、汎用性を有する。
【００２４】
また、開口ＯＰの周囲の長さも従来と同じなので、オーバーフロー口４と取水口部１１との間に挟装されるパッキン１１ａの長さも従来のものと等しく、これをオーバーフロー口４及び取水口部１１に密着させるために、ビスを追加する等の必要性も生じない。
【００２５】
さらに、洗面ボウル２が平面視円状の場合等であっても、特段厚肉の部分が生じないので、一部分だけ色調や艶が異なって外観不良が生じるということもない。
【００２６】
縦管部１４は、取水口部１１より幅方向のみが拡大し、奥行き方向は、コーナー管部１５と略同一である。このように、奥行き方向には拡大しないので、背面に水栓に接続される給水管があっても、干渉することはない。縦管部１４は、洗面ボウル２の取付面と平行となるように水平方向に長く形成されている。拡大空間部の幅方向は、その下端において狭窄し、コーナー管部１５と連通可能な排水口１４ａが形成される。
【００２７】
コーナー管部１５及び横管部１６は、フレキシブル管により形成される。
【００２８】
ジョイント部材１７は、図４に示すように、コーナー管部１５及び横管部１６の端部に内挿される内環部１７ａと、コーナー管部１５及び横管部１６の端部に外嵌する外環部１７ｂと、横管部１６に滞留した空気がコーナー管部１５へと流出することを阻止する垂れ壁１７ｃとを備える。
【００２９】
本実施の形態では、内環部１７ａの内径が２０ｍｍであるのに対し、垂れ壁１７ｃの高さは、７ｍｍに設定されている。
また、外環部１７ｂの、垂れ壁１７ｃと対向する部分には、ジョイント部材１７の軸心に沿って、凸条１７ｄが設けられる。これにより、ジョイント部材の上下が認識されるので、凸条１７ｄが下側にくるようにジョイント部材１７を取り付ければ、垂れ壁１７ｃが上側にくるように配置することができる。
【００３０】
本実施の形態に係る洗面器装置１は上記のように構成されており、以下排水の一部が一時的に導水管部を逆流する場合の作用について説明する。
【００３１】
洗面ボウル２の排水口３を閉塞した状態で洗面ボウル２に水を溜め、その後排水口３を開放すると、大量の水が一気に排水口部１３に流れ込むため、排水の一部が一時的に導水管部１２を逆流することがある。
【００３２】
このとき、排水口３から勢いよく排水された水が、横管部１６内に滞留していた空気を追い越して先にオーバーフロー口４近傍まで達する。ところが、追い越された空気は垂れ壁１７ｃによりコーナー管部１５へと流出することを阻止される。これにより、オーバーフロー口４近傍の水を押し出そうとする力が働かないので、オーバーフロー口４近傍の水が溢れ出すことが防止される。
【００３３】
また、縦管部１４は、コーナー管部１５より幅方向が拡大しているので、オーバーフロー口４近傍まで達した水は、縦管部１４に滞留し、この点からも、オーバーフロー口４近傍の水が溢れ出すことが防止される。
【００３４】
次に、本発明に係る垂れ壁と、特許文献１に記載された防壁との相違点について説明する。まず、特許文献１に記載の防壁が、導水管から排水管への空気の引き込みを阻止することを目的にするのに対し、本発明に係る垂れ壁は、導水管部の略水平方向部分に滞留した空気が略垂直方向部分へと流出することを阻止することを目的とする。
【００３５】
すなわち、防壁の場合、空気の流れはオーバーフロー口側から排水口側であるのに対し、垂れ壁の場合は、空気の流れは排水口側からオーバーフロー口側である点で異なる。
【００３６】
また、斯かる目的の相違から、防壁が導水管の排水管との接続部近傍に設けられるのに対し、垂れ壁は、導水管部の略水平部分に設けられる点でも、両者は相違する。
【００３７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３８】
例えば、本実施形態では、縦管部１４の拡大空間部は、取水口部１１と一体に、且つ取水口部１１より幅方向が拡大した形状に形成されるが、縦管部１４はこれに限らず、コーナー管部１５や横管部１６と同様、フレキシブル管で形成することも可能である。
【図面の簡単な説明】
【００３９】
【図１】本発明に係る洗面器装置の一実施形態を示す図で、（ａ）は底面図、（ｂ）は右側面図、（ｃ）は（ｂ）におけるＡ−Ａ断面図。
【図２】本実施形態に係るオーバーフロー装置の詳細図。
【図３】縦管部の詳細図で、（ａ）は正面図、（ｂ）は側面図。
【図４】ジョイント部材の詳細図で、（ａ）は側面図、（ｂ）は底面図、（ｃ）は（ｂ）におけるＣ−Ｃ断面図、（ｄ）は（ａ）におけるＢ−Ｂ断面図。
【符号の説明】
【００４０】
１  洗面器装置
２  洗面ボウル
３  排水口
４  オーバーフロー口
１０  オーバーフロー装置
１１  取水口部
１１ａ  パッキン
１１ｂ  ビス孔
１２  導水管部
１３  排水口部
１４  縦管部
１４ａ  排水口
１５  コーナー管部
１６  横管部
１７  ジョイント部材
１７ａ  内環部
１７ｂ  外環部
１７ｃ  垂れ壁
１７ｄ  凸条
ＯＰ  開口
【図１】
0005446093.tif 000002
【図２】
0005446093.tif 000003
【図３】
0005446093.tif 000004
【図４】
0005446093.tif 000005